(57)【要約】  中断を挟んで記録された画像の画質の低下を抑制することができるインクジェット記録装置及びインクジェット記録装置の制御方法を提供する。記録媒体を搬送方向に搬送する搬送手段と、複数の記録素子列の各々が、他の記録素子列と幅方向についての配置範囲が重複しかつ搬送方向に離間するように設けられたインク吐出部と、複数の記録素子がインク吐出動作を行うことにより記録媒体上に画像を記録する画像記録動作をインク吐出部により行わせる制御手段とを備え、画像記録動作では、記録素子列の重複範囲において、搬送方向についての各位置で、幅方向についての位置ごとに二以上の記録素子列に属する記録素子の少なくとも何れかによるインク吐出動作が行われ、制御手段は、画像の記録を中断する場合に、画像のうち中断により未記録となる部分を除いた部分画像についての画像記録動作をインク吐出部により行わせる。
2017204025.tif 000002
【特許請求の範囲】
【請求項１】
記録媒体を所定の搬送方向に搬送する搬送動作を行う搬送手段と、
インクを各々吐出する複数の記録素子が設けられたインク吐出部と、
前記搬送手段及び前記インク吐出部の動作を制御する制御手段と、
を備え、
前記複数の記録素子は、前記搬送方向と交差する方向に連続して配列された二以上の記録素子からそれぞれなる複数の記録素子列を構成し、
前記複数の記録素子列の各々は、他の少なくとも一つの記録素子列と前記搬送方向に直交する幅方向についての配置範囲の一部又は全部が重複し、かつ前記他の少なくとも一つの記録素子列と前記搬送方向に離間して設けられ、
前記制御手段は、前記搬送手段により前記搬送動作を行わせるとともに、前記複数の記録素子の各々が画像データに応じてインクを吐出するインク吐出動作を行うことにより前記記録媒体上に画像を記録する画像記録動作を前記インク吐出部により行わせ、
前記画像記録動作では、二以上の前記記録素子列の前記幅方向についての配置範囲が重複する重複範囲において、前記搬送方向についての各位置で、前記幅方向についての位置ごとに前記二以上の記録素子列に属する記録素子の少なくとも何れかによる前記インク吐出動作が行われ、
前記制御手段は、前記画像の記録を中断する場合に、当該画像のうち前記中断により未記録となる部分を除いた部分画像についての前記画像記録動作を前記インク吐出部により行わせる
ことを特徴とするインクジェット記録装置。
【請求項２】
前記複数の記録素子列の各々における記録素子の配列方向は、前記幅方向であり、
前記制御手段は、前記画像の記録を中断する場合に、前記重複範囲において、前記二以上の記録素子列のうち前記搬送方向について最も上流側の最上流記録素子列の記録素子による前記インク吐出動作を中断させた後、前記二以上の記録素子列のうち前記最上流記録素子列以外の記録素子列の記録素子による前記インク吐出動作を、前記最上流記録素子列の記録素子によるインク吐出動作を中断させた前記搬送方向についての前記記録媒体上の位置まで継続させる
ことを特徴とする請求項１に記載のインクジェット記録装置。
【請求項３】
前記制御手段は、前記画像の記録を中断する場合に、前記複数の記録素子のうち前記搬送方向について最も上流側に設けられた最上流記録素子による前記インク吐出動作を中断させた後、前記最上流記録素子以外の記録素子による前記インク吐出動作を、前記最上流記録素子によるインク吐出動作を中断させた前記搬送方向についての前記記録媒体上の位置まで継続させる
ことを特徴とする請求項１又は２に記載のインクジェット記録装置。
【請求項４】
前記搬送手段により搬送される記録媒体の前記搬送方向についての位置情報を取得する位置取得手段を備え、
前記制御手段は、
前記画像の記録を中断する場合に、前記複数の記録素子の各々による前記インク吐出動作がそれぞれ中断されたときの、前記複数の記録素子に対応する前記記録媒体上の複数の記録中断位置を前記位置取得手段により取得し、かつ前記複数の記録素子の各々による前記インク吐出動作がそれぞれ中断された前記画像データにおける前記複数の記録素子に対応する複数の内容中断位置を取得し、前記部分画像についての前記画像記録動作を前記インク吐出部により行わせた後で前記搬送手段による前記搬送動作を中断させ、
前記画像の記録及び前記搬送動作を再開する場合に、前記複数の記録素子のうち前記搬送方向について最も上流側に設けられた最上流記録素子に対応する前記記録中断位置が、前記最上流記録素子によりインクが付与される位置よりも前記搬送方向について上流側の搬送再開位置から移動開始するように前記記録媒体の前記搬送方向への搬送動作を開始させ、前記複数の記録素子の各々により、当該複数の記録素子の各々に対応する前記記録中断位置が、当該複数の記録素子の各々によりインクが付与される位置に移動したタイミングで、当該複数の記録素子の各々に対応する前記内容中断位置から前記インク吐出動作を再開させる
ことを特徴とする請求項１〜３の何れか一項に記載のインクジェット記録装置。
【請求項５】
前記制御手段は、前記搬送動作の中断後、前記最上流記録素子に対応する前記記録中断位置が前記搬送再開位置に到達するまで前記搬送手段により前記記録媒体を前記搬送方向と反対向きに搬送させることを特徴とする請求項４に記載のインクジェット記録装置。
【請求項６】
前記搬送方向について互いに異なる位置に設けられ、それぞれ前記複数の記録素子から互いに異なる色のインクを吐出する複数の前記インク吐出部を備え、
前記制御手段は、
前記複数のインク吐出部により、互いに異なる色の複数の前記画像を前記記録媒体上に記録させ、
前記複数の画像の記録を中断する場合に、前記複数のインク吐出部の各々により、前記複数の画像のうち当該インク吐出部に対応する色の画像に係る前記部分画像についての前記画像記録動作を行わせる
ことを特徴とする請求項１〜５の何れか一項に記載のインクジェット記録装置。
【請求項７】
前記制御手段は、
前記複数のインク吐出部により前記複数の画像を前記記録媒体上において重ねて記録させ、
前記複数の画像の記録を中断する場合に、前記複数のインク吐出部の各々により、前記記録媒体上における同一の記録範囲に前記部分画像を記録させる
ことを特徴とする請求項６に記載のインクジェット記録装置。
【請求項８】
記録媒体を所定の搬送方向に搬送する搬送動作を行う搬送手段と、インクを各々吐出する複数の記録素子が設けられたインク吐出部と、を備え、前記複数の記録素子は、前記搬送方向と交差する方向に連続して配列された二以上の記録素子からそれぞれなる複数の記録素子列を構成し、前記複数の記録素子列の各々は、他の少なくとも一つの記録素子列と前記搬送方向に直交する幅方向についての配置範囲の一部又は全部が重複し、かつ前記他の少なくとも一つの記録素子列と前記搬送方向に離間して設けられたインクジェット記録装置の制御方法であって、
前記搬送手段により前記搬送動作を行わせるとともに、前記複数の記録素子の各々が画像データに応じてインクを吐出するインク吐出動作を行うことにより前記記録媒体上に画像を記録する画像記録動作を前記インク吐出部により行わせる記録ステップを含み、
前記画像記録動作では、二以上の前記記録素子列の前記幅方向についての配置範囲が重複する重複範囲において、前記搬送方向についての各位置で、前記幅方向についての位置ごとに前記二以上の記録素子列に属する記録素子の少なくとも何れかによる前記インク吐出動作が行われ、
前記記録ステップにおいて前記画像の記録を中断させる場合に、当該画像のうち中断により未記録となる部分を除いた部分画像についての前記画像記録動作を前記インク吐出部により行わせる
ことを特徴とするインクジェット記録装置の制御方法。
【発明の詳細な説明】
【技術分野】
【０００１】
本発明は、インクジェット記録装置及びインクジェット記録装置の制御方法に関する。
【背景技術】
【０００２】
従来、搬送手段により搬送される記録媒体に対して、記録ヘッドに設けられた複数の記録素子からインクを吐出して画像を記録するインクジェット記録装置がある。近年、インクジェット記録装置では、記録速度の向上といった要求に対応するため、記録媒体の搬送方向に直交する幅方向についての画像の記録幅に亘って記録素子が配置されるように、複数の記録ヘッドが幅方向に異なる位置に配置された長尺のラインヘッドを構成し、位置が固定されたラインヘッドの記録素子から記録媒体の搬送位置に応じた適切なタイミングでインクを吐出していくことにより画像を記録する技術が用いられている。この長尺のラインヘッドとしては、複数の記録ヘッドの各々がその端部で他の記録ヘッドと幅方向に重複するように搬送方向についての位置がずらされて千鳥格子状に配置されるものが知られている（例えば、特許文献１）。
このようなラインヘッドでは、幅方向について２つの記録ヘッドが重複配置された範囲内において、例えば上記２つの記録ヘッドのうち一方の記録素子及び他方の記録素子により幅方向についての交互の位置にインク吐出を行うことで、記録ヘッドの繋ぎ目で濃度の不連続が発生するのを抑制する技術がある。【０００３】
また、ラインヘッドにおける幅方向についての記録解像度を増大させるために、記録素子が幅方向について交互に配置される位置関係で搬送方向について異なる位置に設けられた一対の記録ヘッドによりヘッドモジュールを構成し、当該ヘッドモジュールを千鳥格子状に配置して、幅方向についての各位置において、ヘッドモジュールの一対の記録ヘッドの何れか一方に設けられた記録素子によりインク吐出を行わせる技術がある。【０００４】
このように、搬送方向について異なる位置に設けられた複数の記録素子により幅方向についての相補的なインク吐出を行って画像を記録する場合には、インクが付与されない領域が生じないよう、幅方向に隣り合う位置に対する複数回のインク吐出によりそれぞれ記録媒体上に着弾したインクが互いに一部重なるように、記録素子の幅方向の配置間隔に応じて吐出インク量の調整がなされる。【０００５】
また、インクジェット記録装置では、記録媒体の浮きや記録媒体への異物の付着といった異常の検出時などに画像の記録が中断された場合に、中断の原因が除去された後、中断位置から画像の記録を再開することにより、記録の中断を挟んだ場合にも画像の記録を完了させて記録媒体を効率良く利用する技術がある。
【先行技術文献】
【特許文献】
【０００６】
【特許文献１】特開２０１５−１４５０８８号公報
【発明の概要】
【発明が解決しようとする課題】
【０００７】
しかしながら、画像の記録を中断する場合に、搬送方向について異なる位置に設けられた複数の記録素子によるインク吐出動作を一斉に停止させると、記録媒体上の一部の領域では、当該複数の記録素子のうち一部の記録素子のみによりインクが吐出された状態となる。そして、画像の記録が再開され、この領域に既に吐出されたインクに一部重なるように他の一部の記録素子によりインクが吐出されると、当該領域における記録媒体へのインクの定着状態が、記録を中断せずに上記複数の記録素子によるインク吐出が連続して行われた領域におけるインクの定着状態と異なることに起因して色むらが生じてしまう。このように、上記従来の技術では、中断を挟んで記録された画像に色むらが生じて画質が低下するという課題がある。【０００８】
この発明の目的は、中断を挟んで記録された画像の画質の低下を抑制することができるインクジェット記録装置及びインクジェット記録装置の制御方法を提供することにある。
【課題を解決するための手段】
【０００９】
上記目的を達成するため、請求項１に記載のインクジェット記録装置の発明は、
記録媒体を所定の搬送方向に搬送する搬送動作を行う搬送手段と、
インクを各々吐出する複数の記録素子が設けられたインク吐出部と、
前記搬送手段及び前記インク吐出部の動作を制御する制御手段と、
を備え、
前記複数の記録素子は、前記搬送方向と交差する方向に連続して配列された二以上の記録素子からそれぞれなる複数の記録素子列を構成し、
前記複数の記録素子列の各々は、他の少なくとも一つの記録素子列と前記搬送方向に直交する幅方向についての配置範囲の一部又は全部が重複し、かつ前記他の少なくとも一つの記録素子列と前記搬送方向に離間して設けられ、
前記制御手段は、前記搬送手段により前記搬送動作を行わせるとともに、前記複数の記録素子の各々が画像データに応じてインクを吐出するインク吐出動作を行うことにより前記記録媒体上に画像を記録する画像記録動作を前記インク吐出部により行わせ、
前記画像記録動作では、二以上の前記記録素子列の前記幅方向についての配置範囲が重複する重複範囲において、前記搬送方向についての各位置で、前記幅方向についての位置ごとに前記二以上の記録素子列に属する記録素子の少なくとも何れかによる前記インク吐出動作が行われ、
前記制御手段は、前記画像の記録を中断する場合に、当該画像のうち前記中断により未記録となる部分を除いた部分画像についての前記画像記録動作を前記インク吐出部により行わせる
ことを特徴としている。【００１０】
請求項２に記載の発明は、請求項１に記載のインクジェット記録装置において、
前記複数の記録素子列の各々における記録素子の配列方向は、前記幅方向であり、
前記制御手段は、前記画像の記録を中断する場合に、前記重複範囲において、前記二以上の記録素子列のうち前記搬送方向について最も上流側の最上流記録素子列の記録素子による前記インク吐出動作を中断させた後、前記二以上の記録素子列のうち前記最上流記録素子列以外の記録素子列の記録素子による前記インク吐出動作を、前記最上流記録素子列の記録素子によるインク吐出動作を中断させた前記搬送方向についての前記記録媒体上の位置まで継続させる
ことを特徴としている。【００１１】
請求項３に記載の発明は、請求項１又は２に記載のインクジェット記録装置において、
前記制御手段は、前記画像の記録を中断する場合に、前記複数の記録素子のうち前記搬送方向について最も上流側に設けられた最上流記録素子による前記インク吐出動作を中断させた後、前記最上流記録素子以外の記録素子による前記インク吐出動作を、前記最上流記録素子によるインク吐出動作を中断させた前記搬送方向についての前記記録媒体上の位置まで継続させる
ことを特徴としている。【００１２】
請求項４に記載の発明は、請求項１〜３の何れか一項に記載のインクジェット記録装置において、
前記搬送手段により搬送される記録媒体の前記搬送方向についての位置情報を取得する位置取得手段を備え、
前記制御手段は、
前記画像の記録を中断する場合に、前記複数の記録素子の各々による前記インク吐出動作がそれぞれ中断されたときの、前記複数の記録素子に対応する前記記録媒体上の複数の記録中断位置を前記位置取得手段により取得し、かつ前記複数の記録素子の各々による前記インク吐出動作がそれぞれ中断された前記画像データにおける前記複数の記録素子に対応する複数の内容中断位置を取得し、前記部分画像についての前記画像記録動作を前記インク吐出部により行わせた後で前記搬送手段による前記搬送動作を中断させ、
前記画像の記録及び前記搬送動作を再開する場合に、前記複数の記録素子のうち前記搬送方向について最も上流側に設けられた最上流記録素子に対応する前記記録中断位置が、前記最上流記録素子によりインクが付与される位置よりも前記搬送方向について上流側の搬送再開位置から移動開始するように前記記録媒体の前記搬送方向への搬送動作を開始させ、前記複数の記録素子の各々により、当該複数の記録素子の各々に対応する前記記録中断位置が、当該複数の記録素子の各々によりインクが付与される位置に移動したタイミングで、当該複数の記録素子の各々に対応する前記内容中断位置から前記インク吐出動作を再開させる
ことを特徴としている。【００１３】
請求項５に記載の発明は、請求項４に記載のインクジェット記録装置において、
前記制御手段は、前記搬送動作の中断後、前記最上流記録素子に対応する前記記録中断位置が前記搬送再開位置に到達するまで前記搬送手段により前記記録媒体を前記搬送方向と反対向きに搬送させることを特徴としている。【００１４】
請求項６に記載の発明は、請求項１〜５の何れか一項に記載のインクジェット記録装置において、
前記搬送方向について互いに異なる位置に設けられ、それぞれ前記複数の記録素子から互いに異なる色のインクを吐出する複数の前記インク吐出部を備え、
前記制御手段は、
前記複数のインク吐出部により、互いに異なる色の複数の前記画像を前記記録媒体上に記録させ、
前記複数の画像の記録を中断する場合に、前記複数のインク吐出部の各々により、前記複数の画像のうち当該インク吐出部に対応する色の画像に係る前記部分画像についての前記画像記録動作を行わせる
ことを特徴としている。【００１５】
請求項７に記載の発明は、請求項６に記載のインクジェット記録装置において、
前記制御手段は、
前記複数のインク吐出部により前記複数の画像を前記記録媒体上において重ねて記録させ、
前記複数の画像の記録を中断する場合に、前記複数のインク吐出部の各々により、前記記録媒体上における同一の記録範囲に前記部分画像を記録させる
ことを特徴としている。【００１６】
また、上記目的を達成するため、請求項８に記載のインクジェット記録装置の制御方法の発明は、
記録媒体を所定の搬送方向に搬送する搬送動作を行う搬送手段と、インクを各々吐出する複数の記録素子が設けられたインク吐出部と、を備え、前記複数の記録素子は、前記搬送方向と交差する方向に連続して配列された二以上の記録素子からそれぞれなる複数の記録素子列を構成し、前記複数の記録素子列の各々は、他の少なくとも一つの記録素子列と前記搬送方向に直交する幅方向についての配置範囲の一部又は全部が重複し、かつ前記他の少なくとも一つの記録素子列と前記搬送方向に離間して設けられたインクジェット記録装置の制御方法であって、
前記搬送手段により前記搬送動作を行わせるとともに、前記複数の記録素子の各々が画像データに応じてインクを吐出するインク吐出動作を行うことにより前記記録媒体上に画像を記録する画像記録動作を前記インク吐出部により行わせる記録ステップを含み、
前記画像記録動作では、二以上の前記記録素子列の前記幅方向についての配置範囲が重複する重複範囲において、前記搬送方向についての各位置で、前記幅方向についての位置ごとに前記二以上の記録素子列に属する記録素子の少なくとも何れかによる前記インク吐出動作が行われ、
前記記録ステップにおいて前記画像の記録を中断させる場合に、当該画像のうち中断により未記録となる部分を除いた部分画像についての前記画像記録動作を前記インク吐出部により行わせる
ことを特徴としている。
【発明の効果】
【００１７】
本発明に従うと、中断を挟んで記録された画像の画質の低下を抑制することができるという効果がある。
【図面の簡単な説明】
【００１８】
【図１】インクジェット記録装置の概略構成を示す図である。
【図２Ａ】ヘッドユニットの構成を示す模式図である。
【図２Ｂ】ヘッドユニットの部分拡大図である。
【図３】インクジェット記録装置の主要な機能構成を示すブロック図である。
【図４】ヘッドユニット駆動制御部の機能構成を示すブロック図である。
【図５Ａ】従来の画像記録動作の中断動作を説明する図である。
【図５Ｂ】従来の画像記録動作の中断動作を説明する図である。
【図６】本実施形態の画像記録動作の中断動作を説明する図である。
【図７】本実施形態の画像記録動作の再開動作を説明する図である。
【図８】画像記録処理の制御手順を示すフローチャートである。
【図９】画像記録処理で呼び出される中断処理の制御手順を示すフローチャートである。
【図１０】変形例１の画像記録動作の中断動作を説明する図である。
【発明を実施するための形態】
【００１９】
以下、本発明のインクジェット記録装置及びインクジェット記録装置の制御方法に係る実施の形態を図面に基づいて説明する。
【００２０】
図１は、本発明の実施形態であるインクジェット記録装置１の概略構成を示す図である。
インクジェット記録装置１は、搬送部１０（搬送手段）と、記録部２０と、制御部３０と、媒体検出部４０などを備える。
【００２１】
搬送部１０は、駆動ローラー１１と、従動ローラー１２と、搬送ベルト１３と、搬送モーター１４と、ロータリーエンコーダー１５（位置取得手段）と、押圧ローラー１６と、剥がしローラー１７などを備える。
駆動ローラー１１は、搬送モーター１４の駆動によって回転軸を中心に回転する。搬送ベルト１３は、駆動ローラー１１及び従動ローラー１２により内側が支持された輪状のベルトであり、駆動ローラー１１が回転動作するのに従って周回移動する。従動ローラー１２は、搬送ベルト１３の周回移動に伴って駆動ローラー１１の回転軸と平行な回転軸を中心に回転する。搬送ベルト１３としては、駆動ローラー１１及び従動ローラー１２との接触面で柔軟に屈曲し、かつ確実に記録媒体Ｍを支持する材質のものが用いられ、例えば、ゴムなどの樹脂製のベルトや、スチールベルトなどを用いることができる。この搬送ベルト１３は、記録媒体Ｍが吸着される材質及び／又は構成を有することで、より記録媒体Ｍを安定して搬送ベルト１３に載置可能とすることができる。
【００２２】
搬送モーター１４は、制御部３０からの制御信号に応じた回転速度で駆動ローラー１１を回転動作させる。搬送モーター１４は、駆動ローラー１１を通常の搬送方向とは反対方向に逆回転させることも可能となっている。搬送部１０は、搬送ベルト１３の搬送面上に記録媒体Ｍが載置された状態で、駆動ローラー１１の回転速度に応じた速度で搬送ベルト１３が周回移動することで記録媒体Ｍを搬送ベルト１３の移動方向（搬送方向）に搬送する搬送動作を行う。
なお、記録媒体Ｍの搬送は、例えば搬送部１０によるインク吐出が行われる期間一時停止させるといった態様で間欠的に行われても良い。搬送部１０による搬送動作は、上記のように搬送を一時停止させる動作を含むものとする。
【００２３】
記録媒体Ｍは、記録媒体Ｍが巻かれたロールから引き出されて搬送ベルト１３上に供給され、記録部２０により画像が記録された後に別のロールにより巻き取られる。なお、記録媒体Ｍは、一定の寸法に裁断された枚葉紙であっても良く、この場合には、記録媒体Ｍが給紙装置により搬送ベルト１３上に供給され、画像が記録された後に排紙装置により搬送ベルト１３から所定の排紙部に排出される。
本実施形態では、記録媒体Ｍとして布帛が用いられる。ただし、記録媒体Ｍは、これに限定されず、紙やシート状の樹脂等、表面に吐出されたインクを固着させることが可能な種々の媒体を用いることができる。
本実施形態の搬送部１０は、搬送方向に直交する幅方向の幅が約２ｍの大型の記録媒体Ｍを搬送可能な構成とされている。なお、搬送部１０により、幅方向の幅が２ｍより小さい記録媒体Ｍを搬送しても良い。また、搬送部１０は、幅方向の幅が２ｍより大きい（例えば、約４ｍ）記録媒体Ｍを搬送可能な構成とされていても良く、また、搬送可能な記録媒体Ｍの幅方向の最大幅が２ｍより小さい構成とされていても良い。
【００２４】
ロータリーエンコーダー１５は、駆動ローラー１１に取り付けられ、駆動ローラー１１が所定の角度回転するごとにパルス信号（検出信号）を制御部３０及びヘッドユニット駆動制御部２１１（図３）に出力する。ロータリーエンコーダー１５の構成は、特には限られないが、例えば、所定の円周上に配列された複数のスリットが設けられ駆動ローラー１１とともに回転するコードホイールと、当該コードホイールのスリットに光を照射する発光部と、発光部から射出されスリットを通過した光を検出する受光部とを備え、受光部による光の検出結果に基づくパルス信号を制御部３０及びヘッドユニット駆動制御部２１１に出力する構成とすることができる。ここで、パルス信号は、例えば、スリット通過光の受光周期と同一の周期を有し互いに位相が９０度異なる２つの方形派（Ａ相及びＢ相）の各々における立ち上がり及び立ち下りのタイミングで出力されるものとすることができる。このような構成では、Ａ相及びＢ相の位相により駆動ローラー１１の回転方向を検出することもできる。
【００２５】
押圧ローラー１６は、搬送ベルト１３の搬送面に供給される記録媒体Ｍを当該搬送面に対して押圧することでしわなどの搬送面からの浮きを除去する。
剥がしローラー１７は、搬送ベルト１３に吸着された状態で搬送されてきた記録媒体Ｍを所定の圧力で引っ張ることで、記録媒体Ｍを搬送面から引き剥がして図示略の後処理装置へ送る。
【００２６】
記録部２０は、４つのヘッドユニット２１（インク吐出部）を備える。各ヘッドユニット２１は、画像データに基づいてインクを吐出するインク吐出動作を各々行う複数の記録素子を有し、複数の記録素子がインク吐出動作を行うことにより、搬送部１０により搬送される記録媒体Ｍ上に画像を記録する画像記録動作を行う。本実施形態のインクジェット記録装置１では、イエロー（Ｙ）、マゼンタ（Ｍ）、シアン（Ｃ）、ブラック（Ｋ）の４色のインクにそれぞれ対応する４つのヘッドユニット２１が記録媒体Ｍの搬送方向上流側からＹ，Ｍ，Ｃ，Ｋの色の順に所定の間隔で並ぶように配列されている。このような構成において、各ヘッドユニット２１は、記録素子から吐出するインクの色に対応する画像を形成し、インクジェット記録装置１は、Ｙ，Ｍ，Ｃ，Ｋの画像を記録媒体Ｍ上の同一領域に重ねて記録することにより記録対象のカラー画像を記録する。なお、ヘッドユニット２１の数は４つに限られず、画像の記録に用いられるインクの色の数に応じて、３つ以下又は５つ以上とされても良い。
【００２７】
図２は、ヘッドユニット２１の構成を示す模式図である。図２Ａは、ヘッドユニット２１の全体を搬送ベルト１３の搬送面に相対する側から見た平面図であり、図２Ｂは、図２Ａの部分拡大図である。
ヘッドユニット２１は、インクを吐出する複数の記録素子２１３が幅方向に連続して配列された１６個の記録ヘッド２１２を備える。記録ヘッド２１２に設けられた記録素子２１３は、それぞれ、インクを貯留する圧力室と、圧力室の壁面に設けられた圧電素子と、ノズルとを有する。この記録素子２１３は、圧電素子を変形動作させる駆動信号が入力されると、圧電素子の変形により圧力室が変形して圧力室内の圧力が変化し、圧力室に連通するノズルからインクを吐出する。図２では、記録素子２１３におけるノズルのインク吐出口の位置が示されている。なお、各記録ヘッド２１２における記録素子２１３の配列方向は、搬送方向に直交する幅方向に限られず、直角以外の角度で搬送方向と交差する方向であっても良い。
【００２８】
各記録ヘッド２１２における記録素子２１３のノズルの幅方向についての配置間隔は、３６０ｄｐｉ（dot per inch）に対応して約１４１μｍとなっている。また、記録素子２１３のノズルが幅方向について交互に配置されるような位置関係で搬送方向に隣接して配置された２つの記録ヘッド２１２により、ヘッドモジュール２１２Ｍが構成されている。従って、ヘッドモジュール２１２Ｍでは、２つの記録ヘッド２１２の記録素子２１３により幅方向について相補的なインク吐出を行うことにより、幅方向について７２０ｄｐｉ（ノズル間隔は約７０．５μｍ）の記録解像度による画像記録が可能となっている。
【００２９】
また、ヘッドユニット２１では、８つのヘッドモジュール２１２Ｍが、ノズルからインクを吐出可能な範囲が幅方向に連続的に繋がるような位置関係で、幅方向についての配置範囲が互いに一部重複するように千鳥格子状に配置されてラインヘッドが構成されている。
幅方向についての配置範囲が重複するヘッドモジュール２１２Ｍは、搬送方向について異なる位置に配置される。従って、ヘッドモジュール２１２Ｍに含まれる記録ヘッド２１２、及び当該記録ヘッド２１２に設けられた記録素子２１３の列（以下では、記録素子列と記す。）は、搬送方向について離隔した状態で配置される。本実施形態では、各記録素子列は、搬送方向について異なる４つの位置の何れかに配置される。例えば、図２Ｂに示される２つのヘッドモジュール２１２Ｍでは、搬送方向の位置が異なる４つの記録素子列２１４ａ，２１４ｂ，２１４ｃ，２１４ｄ（以下では、互いに区別しない場合には記録素子列２１４とも記す）が、搬送方向の上流側からこの順に配置されている。４つの記録素子列２１４ａ，２１４ｂ，２１４ｃ，２１４ｄの各々においては、ノズルの搬送方向についての位置は、全て同一である。以下では、搬送方向について最も上流側に設けられた記録素子列２１４ａ（最上流記録素子列）と、他の記録素子列２１４ｂ，２１４ｃ，２１４ｄとの搬送方向についての距離を、それぞれ距離Ｄｂ，Ｄｃ，Ｄｄとする。本実施形態では、距離Ｄｂは約１９ｍｍ、距離Ｄｃは約８０ｍｍ、距離Ｄｄは約９９ｍｍである。また、本実施形態では、最も上流側に設けられた記録素子列２１４ａの記録素子２１３が、最上流記録素子を構成する。
【００３０】
図２Ｂに示されるように、幅方向についての配置範囲が重複する一対のヘッドモジュール２１２Ｍでは、各ヘッドモジュール２１２Ｍに各々設けられた４つの記録素子列２１４ａ〜２１４ｄの幅方向についての配置範囲が重複範囲Ａにおいて重なっている。この重複範囲Ａでは、幅方向についての各位置において４つの記録素子列２１４ａ〜２１４ｄに属する記録素子２１３の何れかによりインク吐出動作が行われる。このような相補的なインク吐出動作が行われることにより、ヘッドモジュール２１２Ｍの繋ぎ目において濃度の不連続が発生するのを抑制することができる。
また、搬送方向上流側のヘッドモジュール２１２Ｍに含まれる記録素子列２１４ａ，２１４ｂの幅方向の配置範囲が重なる範囲のうち重複範囲Ａを除いた重複範囲Ｂでは、幅方向についての各位置において記録素子列２１４ａ，２１４ｂに属する記録素子２１３の何れかによりインク吐出動作が行われる。また、搬送方向下流側のヘッドモジュール２１２Ｍに含まれる記録素子列２１４ｃ，２１４ｄの幅方向の配置範囲が重なる範囲のうち重複範囲Ａを除いた重複範囲Ｃでは、幅方向についての各位置において記録素子列２１４ｃ，２１４ｄに属する記録素子２１３の何れかによりインク吐出動作が行われる。
このように、ヘッドユニット２１による画像記録動作では、二以上の記録素子列２１４の幅方向についての配置範囲が重複する重複範囲において、記録媒体Ｍ上の搬送方向についての各位置で、幅方向についての位置ごとに上記二以上の記録素子列２１４に属する記録素子２１３の何れかによるインク吐出動作が行われる。
【００３１】
ヘッドユニット２１に含まれるノズルの幅方向についての配置範囲は、搬送ベルト１３により搬送される記録媒体Ｍのうち画像が記録可能な領域の幅方向の幅をカバーしている。ヘッドユニット２１は、画像の記録時には位置が固定されて用いられ、記録媒体Ｍの搬送に応じて搬送方向の異なる位置に所定の間隔（搬送方向間隔）で順次インクを吐出していくことで、シングルパス方式で画像を記録する。搬送方向間隔、即ち、搬送方向についての記録解像度は、ノズルからの吐出周波数と搬送速度などによって定まるが、上述の７２０ｄｐｉと等しくても良いし、異なっていても良い。
【００３２】
媒体検出部４０は、ヘッドユニット２１に対して搬送方向上流側に設けられ、センサーにより、記録媒体Ｍの浮きといった載置異常や記録媒体Ｍ上のゴミの検出などを行う。センサーの構成は、特には限られないが、例えば、搬送面から所定の高さで幅方向にレーザー光を出射する出射部と、当該レーザー光を幅方向について搬送面の反対側で検出することで、浮き部分やゴミなどによる当該レーザー光の遮断を検出する検出部を備えるものや、記録媒体Ｍの上面を撮像してゴミや浮き部分の影などによる記録媒体Ｍの表面の色ムラを検出するラインセンサーなどを用いることができる。媒体検出部４０は、記録媒体Ｍの異常が検出されて記録媒体Ｍの搬送が停止される場合に、当該異常の検出箇所がヘッドユニット２１と対向する位置に到達する前に記録媒体Ｍの移動を停止させることのできる距離だけヘッドユニット２１より上流側に設けられることが好ましい。
【００３３】
図３は、インクジェット記録装置１の主要な機能構成を示すブロック図である。
インクジェット記録装置１は、搬送部１０に設けられた搬送駆動部１０１及びロータリーエンコーダー１５と、ヘッドユニット２１に設けられたヘッドユニット駆動制御部２１１及び記録ヘッド２１２と、制御部３０と、媒体検出部４０と、操作表示部５１と、入出力インターフェース５２と、バス５３などを備える。このうち制御部３０は、ＣＰＵ３１（Central Processing Unit）、ＲＡＭ３２（Random Access Memory）、ＲＯＭ３３（Read Only Memory）及び記憶部３４を有する。本実施形態では、制御部３０及びヘッドユニット駆動制御部２１１により制御手段が構成される。
【００３４】
搬送駆動部１０１は、ＣＰＵ３１から供給される制御信号に基づいて搬送モーター１４に駆動信号を供給して駆動ローラー１１を所定の回転速度で回転させることにより、搬送ベルト１３を所定の移動速度で移動させる。また、搬送駆動部１０１は、ＣＰＵ３１から供給される制御信号に基づいて駆動ローラー１１の回転速度、即ち搬送ベルト１３の移動速度を変化させる。また、搬送駆動部１０１は、ＣＰＵ３１から供給される制御信号に基づいて搬送モーター１４を逆回転させて、搬送ベルト１３を搬送方向とは逆方向に移動させる。
【００３５】
ヘッドユニット駆動制御部２１１は、記録ヘッド２１２の記録素子２１３に対して適切なタイミングで記録対象の画像の画像データに応じて圧電素子を変形動作させる駆動信号を供給することにより、各記録素子２１３によりインク吐出動作を行わせる。また、この駆動信号は、搬送部１０により搬送される記録媒体Ｍの位置を示すロータリーエンコーダー１５からのパルス信号に同期して出力される。
【００３６】
図４は、ヘッドユニット駆動制御部２１１の機能構成を示すブロック図である。
ヘッドユニット駆動制御部２１１は、１６個の記録ヘッド２１２の各々に対応して設けられた記録ヘッド駆動制御部２１１２と、各記録ヘッド駆動制御部２１１２を制御する共通制御部２１１１とを備えている。記録ヘッド駆動制御部２１１２は、記録ヘッド２１２に対して適切なタイミングで画像データに応じた駆動信号を供給する吐出制御部２１１３を備える。また、記録ヘッド駆動制御部２１１２は、制御部３０からの制御信号に応じて共通制御部２１１１から画像の記録の中断を指示する制御信号が供給された場合に、中断位置記憶部２１１４や遅延量記憶部２１１５に記憶されたデータを参照しつつ記録素子２１３によるインク吐出動作を中断させ、また、記録の再開を指示する制御信号が供給された場合に、記録素子２１３によるインク吐出動作を再開させる。記録の中断及び再開の処理の詳細については、後述する。
【００３７】
ＣＰＵ３１は、ＲＯＭ３３に記憶された各種制御用のプログラムや設定データを読み出してＲＡＭ３２に記憶させ、当該プログラムを実行して各種演算処理を行う。また、ＣＰＵ３１は、インクジェット記録装置１の全体動作を統括制御する。
【００３８】
ＲＡＭ３２は、ＣＰＵ３１に作業用のメモリー空間を提供し、一時データを記憶する。ＲＡＭ３２は、不揮発性メモリーを含んでいても良い。
【００３９】
ＲＯＭ３３は、ＣＰＵ３１により実行される各種制御用のプログラムや設定データ等を格納する。なお、ＲＯＭ３３に代えてＥＥＰＲＯＭ（Electrically Erasable Programmable Read Only Memory）やフラッシュメモリー等の書き換え可能な不揮発性メモリーが用いられても良い。
【００４０】
記憶部３４には、入出力インターフェース５２を介して外部装置２から入力されたプリントジョブ（画像記録命令）及び当該プリントジョブに係る画像データが記憶される。記憶部３４としては、例えばＨＤＤ（Hard Disk Drive）が用いられ、また、ＤＲＡＭ（Dynamic Random Access Memory）などが併用されても良い。
【００４１】
操作表示部５１は、液晶ディスプレイや有機ＥＬディスプレイといった表示装置と、操作キーや、表示装置の画面に重ねられて配置されたタッチパネルといった入力装置とを備える。操作表示部５１は、表示装置において各種情報を表示させ、また入力装置に対するユーザーの入力操作を操作信号に変換して制御部３０に出力する。
【００４２】
入出力インターフェース５２は、外部装置２と制御部３０との間のデータの送受信を媒介する。入出力インターフェース５２は、例えば各種シリアルインターフェース、各種パラレルインターフェースのいずれか又はこれらの組み合わせで構成される。
【００４３】
バス５３は、制御部３０と他の構成との間で信号の送受信を行うための経路である。
【００４４】
外部装置２は、例えばパーソナルコンピューターであり、入出力インターフェース５２を介してプリントジョブ及び画像データ等を制御部３０に供給する。
【００４５】
次に、本実施形態のインクジェット記録装置１における画像記録動作の中断及び再開の方法について説明する。
本実施形態では、プリントジョブに従ってヘッドユニット２１により画像の記録を行う場合に、搬送部１０による記録媒体Ｍの搬送動作及びヘッドユニット２１による画像記録動作が開始されるとともに、媒体検出部４０による記録媒体Ｍの異常の検出動作が開始される。媒体検出部４０により記録媒体Ｍの浮き等の異常が検出された場合には、画像記録動作が中断され、その後記録媒体Ｍの搬送動作が中断される。
また、記録媒体Ｍの異常の原因が取り除かれた後、操作表示部５１に対する所定の入力操作が行われると、記録媒体Ｍの搬送動作及び画像記録動作が再開される。
【００４６】
図５は、従来の画像記録動作の中断動作を説明する図である。図５Ａ及び図５Ｂでは、ヘッドモジュール２１２Ｍの各記録素子２１３により記録媒体Ｍ上にベタ画像の画像データに基づいてインクが吐出された位置範囲が矩形により示されている。
従来の中断動作では、ヘッドモジュール２１２Ｍに含まれるすべての記録素子２１３によるインク吐出動作を一斉に中断させる。このため、図５Ａに示されるように、記録媒体Ｍ上の各記録素子２１３によるインク吐出動作の中断位置が、記録素子２１３の搬送方向についての位置を反映して搬送方向にばらつくこととなる。即ち、図５Ａの搬送方向についての記録媒体Ｍ上の範囲Ｒにおいて、搬送方向上流側の記録素子列２１４ａのインク吐出動作のみにより幅方向について３６０ｄｐｉの解像度で記録が行われた状態で画像の記録が中断される。
【００４７】
この状態から画像の記録を再開し、範囲Ｒにおいて搬送方向下流側の記録素子列２１４ｂからインクを吐出して幅方向について７２０ｄｐｉの解像度での記録を完了させると、図５Ｂに示されるように、範囲Ｒにおけるインクの濃度が、範囲Ｒ以外の範囲Ｒｎにおけるインクの濃度よりも大きくなり、色むらとなって視認されてしまう。これは、２つの記録素子列２１４ａ，２１４ｂの各々によるインク吐出動作の間隔が中断を挟んで長く空いた範囲Ｒと、２つの記録素子列２１４ａ，２１４ｂにより連続して相補的なインク吐出動作が行われた他の範囲Ｒｎとの間で、記録媒体Ｍに着弾したインクの浸透状態が互いに異なるためである。
より詳しくは、範囲Ｒｎでは、記録素子列２１４ａ，２１４ｂにより連続して吐出されたインクが同じような態様でそれぞれ記録媒体Ｍに浸透して定着する。他方で、範囲Ｒでは、記録の中断前に記録素子列２１４ａにより吐出されたインクが記録媒体Ｍに定着し、記録の再開時には、記録素子列２１４ｂにより吐出されたインクが当該定着したインクに重なる状態で着弾する。このように、既に定着したインクに重なる状態で着弾したインクは、記録媒体Ｍの表面近傍に留まって記録媒体Ｍに浸透し難いため、範囲Ｒにおける濃度が相対的に大きくなる。
【００４８】
なお、記録媒体上の同一範囲に複数の異なるタイミングでインク吐出を行うインクジェット記録装置の他の例として、スキャン型のインクジェット記録装置がある。スキャン型のインクジェット記録装置では、記録ヘッドを記録媒体の幅方向に移動させながらインクを吐出する主走査と、記録媒体を搬送方向に移動させる副走査とを交互に繰り返し行うことで画像を記録する。ここで、連続する２回の主走査の各々において記録媒体上の同一領域にインクが吐出される時間間隔は、本実施形態のシングルパス形式のインクジェット記録装置１において搬送方向の位置が異なる２つの記録素子列により記録媒体上の搬送方向についての同一位置に対してインクが吐出される時間間隔と比較して、例えば１００倍以上の長さとなる。よって、スキャン型のインクジェット記録装置では、連続する２回の主走査によりインクが重ねられた場合と、画像の記録の中断を挟んでインクが重ねられた場合との間の濃度差は、本実施形態のインクジェット記録装置１における上記範囲Ｒと範囲Ｒｎとの間の濃度差と比較して遥かに小さく済む。換言すれば、本実施形態のシングルパス形式のインクジェット記録装置１では、画像の再開時に発生する色むらがスキャン型のインクジェット記録装置よりも顕著となりやすい。
【００４９】
そこで、本実施形態では、記録の中断及び再開を行う場合の色むらの発生を抑制するために、画像記録動作を中断する場合に所定の中断動作が行われ、また中断された画像記録動作を再開する場合に所定の再開動作が行われる。以下に説明する中断動作及び再開動作は、４つのヘッドユニット２１の各々について並行して互いに独立に行われる。
【００５０】
図６は、本実施形態の画像記録動作の中断動作を説明する図である。図６では、幅方向の配置範囲が一部重複する一対のヘッドモジュール２１２Ｍのうち、重複範囲Ａ，Ｂ，Ｃに設けられた記録素子２１３と、中断動作が完了するまでに各記録素子２１３により記録媒体Ｍ上にインクが吐出された位置範囲とが示されている。また、図６では、重複範囲Ａにおいて幅方向の位置が一致する一対の記録素子２１３のうち、インクの吐出を行う方の記録素子２１３が黒丸で描かれ、インクの吐出を行わない方の記録素子２１３が白丸で描かれている。
中断動作が開始される前の画像記録動作では、搬送部１０により搬送される記録媒体Ｍに対して各記録素子２１３によるインク吐出動作を行うことにより、白色の矩形で示された領域ｒ１に対してインクが吐出される。そして、領域ｒ１に対するインク吐出動作が終了した時点で、即ち、記録素子列２１４ａ，２１４ｂ，２１４ｃ，２１４ｄによりそれぞれ記録媒体Ｍ上の搬送方向についての位置ｐａ１，ｐｂ１，ｐｃ１，ｐｄ１に対するインク吐出動作が終了した時点で、画像記録動作の中断が指示され、中断動作が開始されたものとする。
【００５１】
本実施形態では、中断動作の開始後も搬送部１０による記録媒体Ｍの搬送が継続される。そして、中断動作が開始されると、搬送方向について最も上流側の記録素子列２１４ａによるインク吐出動作が記録媒体Ｍ上の搬送方向についての位置ｐａ１において中断され、残る記録素子列２１４ｂ，２１４ｃ，２１４ｄによるインク吐出動作が、記録素子列２１４ｂ，２１４ｃ，２１４ｄによるインク吐出動作が、記録素子列２１４ａによるインク吐出動作が中断された記録媒体Ｍ上の搬送方向についての位置ｐａ１に対するインク吐出動作が完了するまで継続された後に中断される。即ち、記録素子列２１４ａの記録素子２１３からの搬送方向についての距離（即ち、それぞれ距離Ｄｂ、距離Ｄｃ、距離Ｄｄ）に応じた期間（回数）継続された後に中断される。より詳しくは、中断動作の開始後、記録素子列２１４ｂにより位置ｐｂ１から位置ｐａ１までの領域ｒｂ１に対してインク吐出動作が行われ、記録素子列２１４ｃにより位置ｐｃ１から位置ｐａ１までの領域ｒｃ１に対してインク吐出動作が行われ、記録素子列２１４ｄにより位置ｐｄ１から位置ｐａ１までの領域ｒｄ１に対してインク吐出動作が行われる。
【００５２】
この結果、位置ｐａ１を搬送方向上流側端部とする記録媒体Ｍ上の矩形の範囲Ｒ１において、記録素子列２１４ａ〜２１４ｄによる幅方向についての相補的な位置に対するインク吐出動作が完了する。即ち、範囲Ｒ１のうち重複範囲Ａにおいて、搬送方向についての各位置で、幅方向についての位置ごとに記録素子列２１４ａ〜２１４ｄに属する記録素子２１３の何れかによりインク吐出動作が行われる。また、範囲Ｒ１のうち重複範囲Ｂでは、搬送方向についての各位置で、幅方向についての位置ごとに記録素子列２１４ａ，２１４ｂに属する記録素子２１３の何れかによりインク吐出動作が行われる。また、範囲Ｒ１のうち重複範囲Ｃでは、搬送方向についての各位置で、幅方向についての位置ごとに記録素子列２１４ｃ，２１４ｄに属する記録素子２１３の何れかによりインク吐出動作が行われる。ここで、中断動作における記録素子列２１４ｂ〜２１４ｄの各記録素子２１３によるインク吐出動作の継続回数は、図４に示される記録ヘッド駆動制御部２１１２の遅延量記憶部２１１５に予め記憶されている。
このように、本実施形態では、画像の記録を中断する場合に、記録対象の画像のうち中断により未記録となる部分を除いた部分画像について、重複範囲Ａ〜Ｃにおける幅方向についての相補的なインク吐出動作を含むヘッドユニット２１による画像記録動作を完了させる。この結果、部分画像では、上述の従来例のように記録の中断時に幅方向の記録解像度が３６０ｄｐｉとなる領域が生じず、部分画像の各部において、幅方向について７２０ｄｐｉの解像度での記録が完了する。
記録素子列２１４ａ〜２１４ｄによるインク吐出動作が完了すると、搬送部１０による記録媒体Ｍの搬送動作が中断される。
【００５３】
中断した画像の記録を再開する場合には、搬送部１０により、最上流の記録素子群２１４ａによるインク吐出動作が中断された記録媒体Ｍ上の位置（記録中断位置）、即ち位置ｐａ１が、記録素子群２１４ａの記録位置（記録素子２１３によりインクが付与される搬送方向についての位置）よりも所定距離上流側となる搬送再開位置に移動するまで記録媒体Ｍが逆送され、その後、搬送方向への記録媒体Ｍの搬送動作が再開される。上記の所定距離は、搬送部１０による記録媒体Ｍの搬送動作を再開してから、位置ｐａ１が記録素子列２１４ａの記録素子２１３による記録位置に到達するまでの間に、適切なインク吐出を行うことができる速度まで搬送速度を増大させることができるような範囲で設定される。
【００５４】
図７は、本実施形態の画像記録動作の再開動作を説明する図である。図７では、再開動作が開始されてから各記録素子２１３により記録媒体Ｍ上にインクが吐出される位置範囲が示されている。
再開動作では、各記録素子２１３によるインク吐出動作が中断されたときの記録媒体Ｍ上の記録中断位置が当該記録素子２１３の記録位置に到達したタイミングで、各記録素子２１３によりインク吐出動作を開始させる。また、再開動作におけるインク吐出動作は、インク吐出動作が中断された画像データの内容中断位置以降のデータに応じて行われる。
【００５５】
即ち、記録媒体Ｍの搬送の再開後、記録媒体Ｍの位置ｐａ１が記録素子列２１４ａの記録素子２１３の記録位置に到達すると、搬送方向について最も上流側の記録素子列２１４ａによるインク吐出動作が再開される。残る記録素子列２１４ｂ，２１４ｃ，２１４ｄによるインク吐出動作は、それぞれ距離Ｄｂ、距離Ｄｃ、距離Ｄｄ（図）に応じた回数分遅延された後のタイミングで再開される。即ち、記録素子列２１４ｂ，２１４ｃ，２１４ｄによるインク吐出動作は、位置ｐａ１が、各記録素子列の記録素子２１３による記録位置に到達するタイミングまで遅延される。この遅延量は、上述した中断動作における各記録素子列２１４によるインク吐出動作の継続回数に対応する。従って、再開動作において記録素子列２１４ｂ〜２１４ｄの各記録素子２１３のインク吐出動作が遅延される回数は、記録ヘッド駆動制御部２１１２の遅延量記憶部２１１５に記憶された中断動作におけるインク吐出動作の継続回数と同一である。このため、本実施形態のように、記録媒体Ｍ上において各記録素子２１３によるインク吐出動作が中断される搬送方向の位置が同一である場合には、各記録素子２１３によるインク吐出動作の再開タイミングは、記録媒体Ｍが最上流の記録素子列２１４ａに係る記録中断位置に到達したタイミングから、遅延量記憶部２１１５に記憶された各記録素子２１３についてのインク吐出動作の遅延回数（継続回数）だけ遅延させたタイミングとしても良い。
【００５６】
即ち、再開動作では、記録媒体Ｍの搬送の再開後、記録媒体Ｍ上の位置ｐａ１が記録素子列２１４ａの記録素子２１３による記録位置に到達すると、図７に示されるように、記録素子列２１４ａの記録素子２１３により、位置ｐａ１から位置ｐａ２までの領域ｒａ２に対するインク吐出動作が開始される。また、位置ｐａ１が記録素子列２１４ｂの記録位置に到達すると、記録素子列２１４ｂの記録素子２１３により、位置ｐａ１から位置ｐｂ２までの領域ｒｂ２に対するインク吐出動作が開始される。また、位置ｐａ１が記録素子列２１４ｃの記録位置に到達すると、記録素子列２１４ｃの記録素子２１３により、位置ｐａ１から位置ｐｃ２までの領域ｒｃ２に対するインク吐出動作が開始される。また、位置ｐａ１が記録素子列２１４ｄの記録位置に到達すると、以降は、全ての記録素子列２１４ａ〜２１４ｄにより、図７において白色の矩形で示された領域ｒ２に対するインク吐出動作が行われる。
【００５７】
次に、インクジェット記録装置１において行われる画像記録処理について説明する。
図８は、本実施形態のインクジェット記録装置１における画像記録処理の制御手順を示すフローチャートである。
この画像記録処理は、入出力インターフェース５２を介して外部装置２からプリントジョブ及び画像データが制御部３０に入力された場合に実行される。
【００５８】
画像記録処理が開始されると、制御部３０は、搬送駆動部１０１に対して制御信号を出力することで搬送モーター１４の動作を開始させて搬送部１０による搬送動作を開始させ、また、媒体検出部４０の動作を開始させる（ステップＳ１０１）。
【００５９】
制御部３０は、ヘッドユニット２１による画像記録動作を開始させる（ステップＳ１０２）。即ち、制御部３０は、記憶部３４に記憶された画像データを、ロータリーエンコーダー１５からのパルス信号により示される搬送部１０による記録媒体Ｍの搬送位置に応じた適切なタイミングでヘッドユニット駆動制御部２１１から記録ヘッド２１２に供給させることにより、ヘッドユニット２１の記録素子２１３によりインク吐出動作を行わせて記録媒体Ｍ上にインクを吐出させる。
【００６０】
制御部３０は、媒体検出部４０により記録媒体Ｍの異常が検出されたか否かを判別し（ステップＳ１０３）、異常が検出されたと判別された場合には（ステップＳ１０３で“ＮＯ”）、中断処理を呼び出して実行する（ステップＳ１０６）。
【００６１】
中断処理の後、制御部３０は、画像記録動作が再開されたか否かを判別し（ステップＳ１０７）、再開されたと判別された場合には（ステップＳ１０７で“ＹＥＳ”）、処理をステップＳ１０３に移行させる。再開されなかったと判別された場合には（ステップＳ１０７で“ＮＯ”）、制御部３０は、処理をステップＳ１０５に移行させる。
【００６２】
ステップＳ１０３の判別処理で、記録媒体Ｍの異常が検出されていないと判別された場合には（ステップＳ１０３で“ＹＥＳ”）、制御部３０は、プリントジョブで設定された全ての画像記録が終了したか否かを判別する（ステップＳ１０４）。終了していないと判別された場合には（ステップＳ１０４で“ＮＯ”）、制御部３０は、処理をステップＳ１０３に移行させる。
【００６３】
設定された全ての画像記録が終了したと判別された場合には（ステップＳ１０４で“ＹＥＳ”）、又はステップＳ１０７の処理が終了すると、制御部３０は、画像記録の終了に係る各種処理を行う（ステップＳ１０５）。制御部３０は、搬送モーター１４を停止させ、画像記録が終了した旨報知動作を行う。また、制御部３０は、記憶部３４に記憶されたプリントジョブに係る設定や記録対象画像データなどを消去する。そして、制御部３０は、画像記録処理を終了する。
【００６４】
図９は、画像記録処理で呼び出される中断処理の制御手順を示すフローチャートである。中断処理が呼び出されると、制御部３０は、ヘッドユニット駆動制御部２１１に対して画像記録動作の中止を指示する制御信号を出力する。
【００６５】
ヘッドユニット駆動制御部２１１は、上記制御信号を受信すると、画像記録動作の中断動作を実行させ、各記録素子２１３によるインク吐出動作の中断に係る上述した記録中断位置及び内容中断位置を取得する（ステップＳ２０１）。即ち、ヘッドユニット駆動制御部２１１は、共通制御部２１１１から各記録ヘッド駆動制御部２１１２に対して所定の制御信号を出力し、記録ヘッド駆動制御部２１１２により、記録ヘッド２１２の各記録素子２１３によるインク吐出動作を上述したタイミングで中断させる。ここでは、記録ヘッド駆動制御部２１１２の吐出制御部２１１３は、遅延量記憶部２１１５に記憶された各記録素子２１３のインク吐出動作の継続回数を取得し、ロータリーエンコーダー１５からのパルス信号に同期して各記録素子２１３により当該継続回数のインク吐出動作を行わせた後、インク吐出動作を中断させる。また、吐出制御部２１１３は、中断動作において各記録素子２１３によるインク吐出動作が完了したときの記録媒体Ｍの位置（即ち、ロータリーエンコーダー１５からのパルス信号のカウント値）（記録中断位置）、及び画像データにおいて各記録素子２１３によるインク吐出動作が完了した位置（内容中断位置）を取得して中断位置記憶部２１１４に記憶させる。ステップＳ２０１の処理は、記録ヘッド駆動制御部２１１２ごとに独立して行われる。
【００６６】
ステップＳ２０１の処理が終了すると、制御部３０は、搬送駆動部１０１に対して制御信号を出力して、搬送部１０による記録媒体Ｍの搬送速度を所定のプロファイルに従って漸減させて、記録媒体Ｍの搬送動作を中断させる（ステップＳ２０２）。なお、ステップＳ２０２の処理は、ステップＳ２０１における画像記録動作の中断動作が完了する前に開始しても良い。この場合には、制御部３０は、画像記録動作の中断動作が完了するタイミングよりも後に記録媒体Ｍの搬送が停止するように搬送部１０の動作を制御する。
【００６７】
制御部３０は、画像記録動作再開命令が取得されたか否かを判別する（ステップＳ２０３）。この画像記録動作再開命令は、ユーザーによる操作表示部５１への所定の入力操作（命令操作）に応じて取得される。画像記録動作再開命令が取得されていないと判別された場合には（ステップＳ２０３で“ＮＯ”）、制御部３０は、画像記録動作中止命令が取得されたか否かを判別する（ステップＳ２０７）。この画像記録動作中止命令は、画像記録再開命令と同様に、ユーザーによる操作表示部５１への所定の入力操作に応じて取得される。画像記録動作中止命令が取得されていないと判別された場合には（ステップＳ２０７で“ＮＯ”）、制御部３０は、処理をステップＳ２０３に移行させる。画像記録動作中止命令が取得されたと判別された場合には（ステップＳ２０７で“ＹＥＳ”）、制御部３０は、中断処理を終了して処理を画像記録処理に戻す。
【００６８】
画像記録動作再開命令が取得されたと判別された場合には（ステップＳ２０３で“ＹＥＳ”）、制御部３０は、搬送駆動部１０１に対して制御信号を出力し、搬送駆動部１０１により、記録媒体Ｍ上の位置ｐａ１が搬送再開位置に到達するまで記録媒体Ｍを逆送させる（ステップＳ２０４）。
【００６９】
制御部３０は、搬送駆動部１０１に対して制御信号を出力して搬送部１０による記録媒体Ｍの搬送を再開させ、その搬送速度を所定のプロファイルに従って漸増させる（ステップＳ２０５）。
【００７０】
制御部３０は、ヘッドユニット駆動制御部２１１に対して画像記録動作の再開に係る制御信号を出力する。ヘッドユニット駆動制御部２１１は、上記制御信号を受信すると、画像記録動作の再開動作を実行させる（ステップＳ２０６）。即ち、ヘッドユニット駆動制御部２１１は、共通制御部２１１１から各記録ヘッド駆動制御部２１１２に対して所定の制御信号を出力し、記録ヘッド駆動制御部２１１２により、記録ヘッド２１２の各記録素子２１３によるインク吐出動作を上述したタイミングで再開させる。ここでは、記録ヘッド駆動制御部２１１２の吐出制御部２１１３は、中断位置記憶部２１１４に記憶された各記録素子２１３に係る記録中断位置に記録媒体Ｍが到達したタイミングでインク吐出動作を再開させる。このときのインク吐出動作は、中断位置記憶部２１１４に記憶された内容中断位置以降の画像データに応じて行われる。
【００７１】
なお、インク吐出動作の再開タイミングは、最上流の記録素子列２１４ａに係る記録中断位置に記録媒体Ｍが到達したタイミングから、遅延量記憶部２１１５に記憶されたインク吐出動作の遅延回数だけ遅延させたタイミングとしても良い。この場合には、ステップＳ２０１の処理において、吐出制御部２１１３は、最上流の記録素子列２１４ａに係る記録中断位置のみを中断位置記憶部２１１４に記憶させることとしても良い。
また、本実施形態では、ステップＳ２０１の処理において、何れか（例えば最上流の記録素子列２１４ａの）一つの記録素子２１３に係る内容中断位置のみを中断位置記憶部２１１４に記憶させることとし、ステップＳ２０６の処理では、上記記憶された一つの内容中断位置に基づいて、各記録素子２１３についての内容中断位置を特定することとしても良い。
また、ステップＳ２０６の処理は、ステップＳ２０５の処理において記録媒体Ｍの搬送速度の加速が完了し定速となった後に開始しても良いし、搬送速度が漸増している段階で開始しても良い。
ステップＳ２０６の処理が終了すると、制御部３０は、中断処理を終了して処理を画像記録制御処理に戻す。
【００７２】
（変形例１）
次に、上記実施形態の変形例１について説明する。本変形例の中断動作では、記録媒体Ｍ上において各記録素子２１３によるインク吐出動作が中断される搬送方向の位置がヘッドモジュール２１２Ｍごとに異なる点で上記実施形態と異なる。以下では、上記実施形態との相違点について説明する。
【００７３】
図１０は、本変形例の画像記録動作の中断動作を説明する図である。
本変形例の中断動作では、記録素子列２１４ａ〜２１４ｄのうち重複範囲Ａに設けられた記録素子２１３によるインク吐出動作は、位置ｐａ１まで継続された後に中断される。また、記録素子列２１４ａ，２１４ｂのうち重複範囲Ｂに設けられた記録素子２１３によるインク吐出動作は、位置ｐａ１まで継続された後に中断される。
他方で、記録素子列２１４ｃ及び記録素子列２１４ｄのうち重複範囲Ｃに設けられた記録素子２１３によるインク吐出動作は、位置ｐｃ１まで継続された後に中断される。即ち、記録素子列２１４ｃのうち重複範囲Ｃに設けられた記録素子２１３によるインク吐出動作は、中断動作の開始時点で中断され、記録素子列２１４ｄのうち重複範囲Ｃに設けられた記録素子２１３によるインク吐出動作は、記録素子列２１４ｄと記録素子列２１４ｃとの搬送方向の距離（即ち距離Ｄｄと距離Ｄｃとの差）に応じた期間（回数）継続された後に中断される。
従って、本変形例では、重複範囲Ａ，Ｂにおける最上流記録素子列は、記録素子列２１４ａであり、重複範囲Ｃにおける最上流記録素子列は、記録素子列２１４ｃである。
【００７４】
このような中断動作により、搬送方向上流側の端部位置がヘッドモジュール２１２Ｍの配置に応じた矩形波状をなす記録媒体Ｍ上の範囲Ｒ１において、記録対象の画像のうち中断により未記録となる部分を除いた部分画像についての画像記録動作が完了する。
【００７５】
本変形例のように、部分画像の各部においてヘッドユニット２１による相補的な画像記録動作が完了していれば、記録媒体Ｍ上において各記録素子２１３によるインク吐出動作が中断される搬送方向の位置は、同一でなくても良い（即ち、一直線状に揃っていなくても良い）。本変形例では、当該位置の記録媒体Ｍ上における分布が矩形波状をなしている例を用いて説明したが、これに限定されず、例えば当該位置が搬送方向及び幅方向に対して傾斜して分布していたり、曲線状をなしていたりしても良い。
【００７６】
（変形例２）
次に、上記実施形態の変形例２について説明する。本変形例の中断動作では、４つのヘッドユニット２１の各々により、記録媒体Ｍ上の同一の記録範囲に部分画像を記録させる点で上記実施形態と異なる。以下では、上記実施形態との相違点について説明する。
【００７７】
上記実施形態では、各ヘッドユニット２１において独立に中断動作が行われるため、各ヘッドユニット２１による部分画像の記録範囲は、ヘッドユニット２１の搬送方向についての配置位置に応じて異なることとなる。
これに対し、本変形例の中断動作では、Ｙ，Ｍ，Ｃ，Ｋにそれぞれ対応する４つのヘッドユニット２１の各々により、記録媒体Ｍ上における同一の記録範囲に各色の部分画像を記録した後で各記録素子２１３によるインク吐出動作を中断させる。即ち、４つのヘッドユニット２１の各記録素子２１３によるインク吐出動作を、最上流のＹに対応するヘッドユニット２１における最上流の記録素子２１３のインク吐出動作が中断された位置まで継続させた後に中断させる。換言すれば、本変形例の中断動作では、記録対象のカラー画像のうち中断により未記録となる部分を除いた部分画像の各部について、４つのヘッドユニット２１により画像記録動作を完了させて、４色のインクによるカラー部分画像を記録する。そして、画像記録動作を再開する場合には、Ｙに対応するヘッドユニット２１の最上流の記録素子２１３に係る記録媒体Ｍ上の記録中断位置が当該記録素子２１３の記録位置よりも搬送方向上流側の記録再開位置となるように記録媒体Ｍを逆送してから記録媒体Ｍの搬送動作を再開し、記録画像のうち未記録の部分の各部について、４つのヘッドユニット２１の記録素子２１３によるインク吐出動作を行う。
【００７８】
以上のように、本実施形態及び各変形例に係るインクジェット記録装置１は、記録媒体Ｍを所定の搬送方向に搬送する搬送動作を行う搬送部１０と、インクを各々吐出する複数の記録素子２１３を有するヘッドユニット２１と、搬送部１０及びヘッドユニット２１の動作を制御する制御部３０及びヘッドユニット駆動制御部２１１と、を備え、上記複数の記録素子２１３は、搬送方向と交差する方向に連続して配列された二以上の記録素子２１３からそれぞれなる複数の記録素子列２１４を構成し、複数の記録素子列２１４の各々は、他の少なくとも一つの記録素子列２１４と搬送方向に直交する幅方向について配置範囲の一部又は全部が重複し、かつ上記他の少なくとも一つの記録素子列２１４と搬送方向に離間して設けられ、制御手段としての制御部３０及びヘッドユニット駆動制御部２１１は、搬送部１０により搬送動作を行わせるとともに、複数の記録素子２１３の各々が画像データに応じてインクを吐出するインク吐出動作を行うことにより記録媒体Ｍ上に画像を記録する画像記録動作をヘッドユニット２１により行わせ、画像記録動作では、上記二以上の記録素子列２１４の幅方向についての配置範囲が重複する重複範囲Ａ〜Ｃにおいて、搬送方向についての各位置で幅方向についての位置ごとに上記二以上の記録素子列２１４に属する記録素子２１３の何れかによるインク吐出動作が行われ、画像の記録を中断する場合に、当該画像のうち中断により未記録となる部分を除いた部分画像についての画像記録動作をヘッドユニット２１により行わせる。
このような構成によれば、記録対象の画像のうち中断により未記録となる部分を除いた部分画像において、一部の記録素子２１３によるインク吐出動作が未完了となる領域が生じないため、記録の中断までにインクが吐出された領域に対して記録の再開後にインクが吐出されないようにすることができる。これにより、記録対象の画像のうち記録の中断までに記録される部分、及び記録が再開された後に記録される部分の各々において、複数のインクが重ねて吐出される時間間隔を揃えることができる。この結果、画像の記録の再開時における色むらの発生を抑制することができる。
【００７９】
また、複数の記録素子列２１４の各々における記録素子２１３の配列方向は、幅方向であり、制御部３０及びヘッドユニット駆動制御部２１１は、画像の記録を中断する場合に、重複範囲Ａ〜Ｃの各々において、上記二以上の記録素子列２１４のうち搬送方向について最も上流側の記録素子列２１４の記録素子２１３による前記インク吐出動作を中断させた後、上記二以上の記録素子列のうち最上流の記録素子列２１４以外の記録素子列２１４に属する記録素子２１３によるインク吐出動作を、最上流の記録素子列２１４の記録素子２１３によるインク吐出動作を中断させた搬送方向についての記録媒体Ｍ上の位置まで継続させる（制御手段）。
これにより、画像の記録を中断する場合に、部分画像のうち各重複範囲において、複数の記録素子列２１４による相補的なインク吐出動作を含む画像記録動作が行われた後にインク吐出動作が中断される。この結果、部分画像のうち重複範囲において、複数の記録素子列２１４の一部によるインク吐出動作が未完了となる領域が生じないため、記録の中断までにインクが吐出された領域に対して記録の再開後にインクが吐出されないようにすることができる。
【００８０】
また、制御部３０及びヘッドユニット駆動制御部２１１は、画像の記録を中断する場合に、複数の記録素子２１３のうち搬送方向について最も上流側に設けられた最上流記録素子によるインク吐出動作を中断させた後、最上流記録素子以外の記録素子２１３によるインク吐出動作を、最上流記録素子によるインク吐出動作を中断させた搬送方向についての記録媒体Ｍ上の位置まで継続させる（制御手段）。これにより、記録が中断されるまでにインクが吐出される領域と記録の再開後にインクが吐出される領域との境界を一直線状とし、当該境界を最も短くすることができるため、当該境界をより目立たなくすることができる。
【００８１】
また、インクジェット記録装置１は、搬送部１０により搬送される記録媒体Ｍの搬送方向についての位置情報を取得するロータリーエンコーダー１５を備え、制御部３０及びヘッドユニット駆動制御部２１１は、画像の記録を中断する場合に、複数の記録素子２１３の各々によるインク吐出動作がそれぞれ中断されたときの、複数の記録素子２１３に対応する記録媒体Ｍ上の複数の記録中断位置をロータリーエンコーダー１５により取得し、かつ複数の記録素子２１３の各々によるインク吐出動作がそれぞれ中断された画像データにおける複数の記録素子２１３に対応する複数の内容中断位置を取得し、部分画像についての画像記録動作をヘッドユニット２１により行わせた後で搬送部１０による記録媒体Ｍの搬送を中断させ、画像の記録及び搬送動作を再開する場合に、複数の記録素子２１３のうち搬送方向について最も上流側に設けられた最上流記録素子に対応する記録中断位置が、前記最上流記録素子によりインクが付与される位置よりも搬送方向について上流側の搬送再開位置から移動開始するように記録媒体Ｍの搬送方向への搬送動作を開始させ、複数の記録素子２１３の各々により、当該複数の記録素子２１３の各々に対応する記録中断位置が、当該複数の記録素子２１３の各々によりインクが付与される位置に移動したタイミングで、複数の記録素子２１３の各々に対応する内容中断位置からインク吐出動作を再開させる（制御手段）。これにより、記録の中断前及び再開後でインクが重なったりインク同士が離間したりする不具合の発生を、簡易な処理で確実に抑制することができる。この結果、記録が中断された位置における画質の低下をより確実に抑制することができる。
【００８２】
制御部３０は、搬送動作の中断後、最上流記録素子に対応する記録中断位置が搬送再開位置に到達するまで搬送部１０により記録媒体Ｍを搬送方向と反対向きに搬送させる（制御手段）。これにより、最上流記録素子に対応する記録中断位置を容易に搬送再開位置に移動させることができる。特に、長尺の連続紙や布帛などの位置は、搬送ベルト１３の通常の移動方向に沿って周回させて移動させることができないので、手動でなく、自動的に逆方向への搬送が可能となることで、ユーザーの手間を軽減させることができる。
【００８３】
また、インクジェット記録装置１は、搬送方向について互いに異なる位置に設けられ、それぞれ複数の記録素子２１３から互いに異なる色のインクを吐出する複数のヘッドユニット２１を備え、制御部３０及びヘッドユニット駆動制御部２１１は、複数のヘッドユニット２１により、互いに異なる色の複数の画像を記録媒体Ｍ上に記録させ、複数の画像の記録を中断する場合に、複数のヘッドユニット２１の各々により、複数の画像のうち当該ヘッドユニット２１に対応する色の画像に係る部分画像についての画像記録動作を行わせる（制御手段）。これにより、異なる色の複数の部分画像の各々において、記録の中断までに当該部分画像に対応する色のインクが吐出された領域に対して記録の再開後に当該色のインクが吐出されないようにすることができる。これにより、各色の画像の各々のうち記録の中断までに記録される部分、及び記録が再開された後に記録される部分の各々において、複数のインクが重ねて吐出される時間間隔を揃えることができる。この結果、画像の記録の再開時における画像における色むらの発生を抑制して、記録画像の画質の低下を抑制することができる。
【００８４】
また、変形例２に係る制御部３０及びヘッドユニット駆動制御部２１１は、複数のヘッドユニット２１により上記複数の画像を記録媒体Ｍ上において重ねて記録させ、複数の画像の記録を中断する場合に、複数のヘッドユニット２１の各々により、記録媒体Ｍ上における同一の記録範囲に部分画像を記録させる（制御手段）。これにより、記録媒体上のうち記録の中断までに画像が記録される部分、及び記録が再開された後に画像が記録される部分の各々において、複数のヘッドユニット２１により異なる色のインクが重ねて吐出される時間間隔を揃えることができる。この結果、複数の色の画像を重ねてカラー画像を記録する態様において、画像の記録の再開時における色むらの発生を抑制することができる。
【００８５】
また、上記の制御方法でインクジェット記録装置１の制御を行うことで、記録の中断までにインクが吐出された領域に対して記録の再開後にインクが吐出されないようにすることができる。これにより、記録の中断前後において記録が行われる部分の各々において、複数のインクが重ねて吐出される時間間隔を揃えることができるため、画像の記録の再開時における色むらの発生を抑制することができる。
【００８６】
なお、本発明は、上記実施形態及び各変形例に限られるものではなく、様々な変更が可能である。
例えば、上記実施形態及び各変形例では、画像記録を中断後に再開する場合の制御について説明したが、中断前の記録画像に既に問題があった場合などには、必ずしも中断前の記録画像に続けて画像を記録する必要はなく、前の画像の記録の中断後に、再度新たな画像を記録しても良い。
【００８７】
また、上記実施形態及び各変形例では、重複範囲Ａにおいて幅方向についての各位置で記録素子列２１４ａ〜２１４ｄの記録素子２１３の何れか一つによりインクを吐出する例を用いて説明したが、これに限られず、重複範囲Ａでは、幅方向の位置が同一である複数の記録素子２１３により、搬送方向について相補的な位置にインクを吐出しても良い。
【００８８】
また、上記実施形態及び各変形例では、記録媒体Ｍ上の搬送方向についての各位置において、幅方向についての位置ごとに何れか一つの記録素子２１３によりインクが吐出される例を用いて説明したが、これに限定されず、上記幅方向についての位置ごとに、搬送方向について異なる位置に配置された複数の記録素子２１３により重ねてインクが吐出される態様であっても良い。
【００８９】
また、上記実施形態及び各変形例の中断動作は、地震の発生やインクジェット記録装置１の保護扉の開放などによりインターロック機構が作動した場合、及び外部からの非常停止指示が入力された場合などにおける緊急停止時等においては行わないこととしても良い。
【００９０】
また、上記実施形態及び各変形例では、媒体検出部４０による検出結果に基づいて自動的に中断動作が開始されることとしたが、監視担当者が記録媒体を目視して異常を検出し、操作表示部５１への入力操作により手動で中断動作を開始させても良い。
【００９１】
また、上記実施形態及び各変形例では、画像記録の中断後、再開時にユーザーが操作表示部５１に対して再開命令を入力操作することとしたが、中断の原因をインクジェット記録装置１において自動で除去可能な場合、例えば、しわの除去を行う押圧ローラー１６を自動で適切に動作させることが可能な場合などには、ユーザーの入力操作を必要とせずに画像記録を再開させても良い。
【００９２】
また、上記実施形態及び各変形例では、ＣＰＵ３１が搬送再開位置を算出し、搬送部１０が記録媒体Ｍを逆送させて搬送再開位置に移動させたが、ユーザーが駆動ローラー１１を手動で回転させて記録媒体Ｍを適切な距離だけ逆送させても良い。
【００９３】
また、記録媒体Ｍが長尺の布帛や連続紙ではなく、枚葉紙などの場合には、記録媒体Ｍを逆送ではなく、搬送ベルト１３の周回方向に従って１周弱移動させることでも搬送再開位置に移動させることができる。
【００９４】
また、上記実施形態及び各変形例では、駆動ローラー１１及び従動ローラー１２により搬送ベルト１３を周回動作させたものを例として挙げたが、ローラーは２つに限られない。また、３つ以上のローラーにより、記録媒体Ｍの搬送経路が途中で折れ曲がっていても良い。
【００９５】
また、上記実施形態及び各変形例では、ロータリーエンコーダー１５により駆動ローラー１１の回転量を検出する構成を例に挙げて説明したが、これに代えて、ロータリーエンコーダー１５により従動ローラー１２の回転量を検出しても良く、また搬送モーター１４の回転量を検出しても良い。
【００９６】
また、ロータリーエンコーダー１５に代えて、搬送ベルト１３上に設けられた磁気スケールの磁極面を磁気ピックアップにより読み取る磁気式のリニアエンコーダーといった他の方式の位置取得手段を用いても良い。
【００９７】
また、上記実施形態及び各変形例では、搬送ベルト１３を備える搬送部１０により記録媒体Ｍを搬送する例を用いて説明したが、これに限定する趣旨ではなく、搬送部１０は、例えば回転する搬送ドラムの外周面上に記録媒体Ｍを保持して搬送するものであっても良い。
【００９８】
本発明のいくつかの実施形態を説明したが、本発明の範囲は、上述の実施の形態に限定されるものではなく、特許請求の範囲に記載された発明の範囲とその均等の範囲を含む。
【産業上の利用可能性】
【００９９】
本発明は、インクジェット記録装置及びインクジェット記録装置の制御方法に利用することができる。
【符号の説明】
【０１００】
１  インクジェット記録装置
２  外部装置
１０  搬送部
１０１  搬送駆動部
１１  駆動ローラー
１２  従動ローラー
１３  搬送ベルト
１４  搬送モーター
１５  ロータリーエンコーダー
１６  押圧ローラー
１７  剥がしローラー
２０  記録部
２１  ヘッドユニット
２１１  ヘッドユニット駆動制御部
２１１１  共通制御部
２１１２  記録ヘッド駆動制御部
２１１３  吐出制御部
２１１４  中断位置記憶部
２１１５  遅延量記憶部
２１２  記録ヘッド
２１２Ｍ  ヘッドモジュール
２１３  記録素子
２１４ａ，２１４ｂ，２１４ｃ，２１４ｄ  記録素子列
３０  制御部
３１  ＣＰＵ
３２  ＲＡＭ
３３  ＲＯＭ
３４  記憶部
４０  媒体検出部
５１  操作表示部
５２  入出力インターフェース
５３  バス
Ａ，Ｂ，Ｃ  重複範囲
Ｍ  記録媒体
【図１】
2017204025.tif 000003
【図２Ａ】
2017204025.tif 000004
【図２Ｂ】
2017204025.tif 000005
【図３】
2017204025.tif 000006
【図４】
2017204025.tif 000007
【図５Ａ】
2017204025.tif 000008
【図５Ｂ】
2017204025.tif 000009
【図６】
2017204025.tif 000010
【図７】
2017204025.tif 000011
【図８】
2017204025.tif 000012
【図９】
2017204025.tif 000013
【図１０】
2017204025.tif 000014
【国際調査報告】
2017204025.tif 000015
2017204025.tif 000016
2017204025.tif 000017